(57)【要約】【課題】塗布部に保持したマスカラ液を迅速に加熱して、マスカラ液が適温に加熱されるまでの待機時間を短縮することができ、塗布体が破損あるいは塗布体に汚れが膠着した場合でも容易に交換あるいは洗浄を行なうことができる美容器具を提供する。【解決手段】美容器具は、塗布体２と、塗布体２に着脱自在に連結される加熱体３とで構成する。塗布体２は、中心軸に沿って収納穴１１３が形成された筒状の塗布ロッド１１を備え、塗布ロッド１１は、化粧料を保持する塗布部１２を設けた処理部１１１と、ステム部１１２とで構成する。加熱体３は、グリップ２０と、加熱ロッド２１と、加熱ロッド２１の端部に設けられる加熱部２２とを備え、加熱部２２の内部にヒーター２９を設ける。加熱体３を塗布体２に連結して、加熱ロッド２１を収納穴１１３に収納した状態において、加熱ロッド２１の加熱部２２を塗布ロッド１１の処理部１１１の内部に位置させてある。【選択図】図１
2014073244.tif 000002
【特許請求の範囲】
【請求項１】
塗布体（２）と、塗布体（２）に着脱自在に連結される加熱体（３）とを備えており、
塗布体（２）は、中心軸に沿って収納穴（１１３）が形成された筒状の塗布ロッド（１１）を備えており、
塗布ロッド（１１）は、処理部（１１１）と、処理部（１１１）に連続するステム部（１１２）とで構成されて、処理部（１１１）の端部に化粧料を保持する塗布部（１２）が設けられており、
加熱体（３）は、グリップ（２０）の一端に設けられる加熱ロッド（２１）と、加熱ロッド（２１）の端部に設けられる加熱部（２２）とを備えていて、加熱部（２２）の内部にヒーター（２９）が設けられており、
加熱体（３）を塗布体（２）に連結して、加熱ロッド（２１）を収納穴（１１３）に収納した状態において、加熱ロッド（２１）の加熱部（２２）が塗布ロッド（１１）の処理部（１１１）の内部に位置していることを特徴とする美容器具。
【請求項２】
塗布部（１２）が、処理部（１１１）の外面一側に形成されており、
加熱ロッド（２１）が、ステム部（１２０）と、ステム部（１２０）の端部に設けられる加熱部（２２）とで構成されており、
加熱体（３）を塗布体（２）に連結した状態において、処理部（１１１）の内面（１１４）と加熱部（２２）との隙間（Ｇ１）が、塗布ロッド（１１）のステム部（１１２）の内面（１１４）と加熱ロッド（２１）のステム部（１２０）との隙間（Ｇ２）より小さく設定してある請求項１に記載の美容器具。
【請求項３】
処理部（１１１）は、塗布部（１２）が形成してある塗布部側筒壁（１１６）と、塗布部側筒壁（１１６）に対向する対向筒壁（１１７）とを備えており、塗布部側筒壁（１１６）の厚み寸法（ｔ１）が、対向筒壁（１１７）の厚み寸法（ｔ２）より小さく設定してある請求項１または２に記載の美容器具。
【請求項４】
加熱ロッド（２１）のステム部（１２０）の外径寸法（Ｄ２）が、加熱部（２２）の外径寸法（Ｄ１）より小さく設定してあり、
加熱ロッド（２１）のステム部（１２０）の外面と、塗布ロッド（１１）のステム部（１１２）の内面（１１４）との間に断熱空間（Ｓ１）が形成してある請求項１から３のいずれかひとつに記載の美容器具。
【請求項５】
加熱ロッド（２１）のステム部（１２０）の周面に、断熱空間（Ｓ１）を複数個に区画する１個以上の区画壁（１２１）が周回状に設けてある請求項４に記載の美容器具。
【請求項６】
塗布ロッド（１１）の少なくとも塗布部側筒壁（１１６）および対向筒壁（１１７）の内面（１１４）が、基端側から端部側へ向かって先すぼまり状に形成してある請求項３から５のいずれかひとつに記載の美容器具。
【請求項７】
ヒーター（２９）が、塗布ロッド（１１）の中心軸線（Ｏ）に対して塗布部側筒壁（１１６）へ偏寄する状態で配置してある請求項３から６のいずれかひとつに記載の美容器具。
【請求項８】
対向筒壁（１１７）と対向する加熱部（２２）に段落ち部（１２２）を形成して、対向筒壁（１１７）と加熱部（２２）との間に断熱空間（Ｓ２）が設けてある請求項３から７のいずれかひとつに記載の美容器具。
【請求項９】
加熱ロッド（２１）のステム部（１２０）が発泡性樹脂で形成してある請求項１から８のいずれかひとつに記載の美容器具。
【請求項１０】
マスカラ液を収容する容器（１）と、容器（１）に着脱自在に装着される塗布体（２）と、塗布体（２）に着脱自在に連結される加熱体（３）とを備えており、
容器（１）と塗布体（２）と加熱体（３）を連結した状態において、加熱体（３）の加熱ロッド（２１）が、容器（１）内に差込まれた塗布ロッド（１１）の内部に収納してある請求項１から９のいずれかひとつに記載の美容器具。
【発明の詳細な説明】
【技術分野】
【０００１】
本発明は、化粧料を塗布する塗布体を備えた美容器具、なかでも化粧料を加熱してその粘度を低下させながら塗布する美容器具に関する。
【背景技術】
【０００２】
本発明に関して、塗布具を備えた塗布器具が特許文献１に公知である。そこでは、マスカラ液を収容する容器およびキャップと、塗布ヘッドを備えた塗布具と、塗布ヘッドを加熱する加熱装置などで塗布器具（美容器具）を構成している。摘みを兼ねるキャップの内部には、加熱装置の電源となる電池が配置してあり、キャップと一体化された塗布具の塗布ヘッドの内部には、抵抗加熱素子が配置してある。容器にねじ込まれたキャップを容器から取外すと、給電用の回路が閉じられて抵抗加熱素子を発熱させることができ、この熱で塗布ヘッドの基部表面に付着したマスカラ液を加熱して均一に拡散し流動させた状態でまつ毛に塗布できる。
【０００３】
同様の美容器具は特許文献２にも開示されている。そこでは、マスカラ液を収容する容器と、ブラシ棒を支持する取っ手（キャップ）とでマスカラパッケージ（美容器具）を構成している。ブラシ棒の下部には、発熱体を備えた発熱塗布部が設けてあり、取っ手の外面に配置したスイッチノブをオン操作することにより発熱体に通電して発熱塗布部を加熱できる。使用時には、容器にねじ込まれた取っ手を取外すことにより、発熱塗布部の外面のブリッスルに付着したマスカラ液を、加熱された状態でまつ毛に塗布できる。さらに、発熱塗布部を容器内に収容した状態のままで、スイッチノブをオン操作することにより、低温のマスカラ液を加熱してその粘度を低下させることができる。
【先行技術文献】
【特許文献】
【０００４】
【特許文献１】特開２００８−２１２６８８号公報（段落番号００３１〜００３２、図２）
【特許文献２】特表２００９−５３２０８３号公報（段落番号００３３、図２）
【発明の概要】
【発明が解決しようとする課題】
【０００５】
特許文献１の美容器具によれば、キャップを容器から取外す動作に連動して抵抗加熱素子を発熱させ、塗布ヘッドに付着したマスカラ液を加熱し均一に拡散し流動させた状態でまつ毛に塗布できる。しかし、特許文献１のマスカラ塗布具は、マスカラ液をまつ毛に塗布する機能を備えているに過ぎない。そのため、前段のまつ毛をカールする作業と、後段のまつ毛に付着したダマ（マスカラ塊）を除去する作業を行う際に、別途まつ毛整形具とマスカラコームを用意する必要があり、一連の作業が煩雑で化粧に多くの手間が掛かってしまう。また、塗布ヘッドはキャップと一体に形成されているので、塗布ヘッドが破損した場合には、補修や交換をすることができず、容器を除く美容器具全体を破棄しなければならないため不経済である。
【０００６】
その点、特許文献２の美容器具は、発熱塗布部にまつ毛をカールする櫛と、マスカラ液を塗布するブラシとが設けてあるので、一連の作業を少ない手間で行うことができる。また、発熱塗布部はブラシ棒から分離できるように形成されているので、発熱塗布部が破損あるいは発熱塗布部に汚れが膠着した場合でも容易に交換あるいは洗浄することができる。しかし、発熱塗布部は発熱体から離れた位置に配置され、発熱体で発生した熱が支持具を介して発熱塗布部へ伝導されている。そのため、発熱塗布部が加熱され、マスカラ液の温度が塗布に好適な温度になるまでに時間を要し、マスカラ液を塗布する際に待機時間が生じるのを避けられない。
【０００７】
本発明の目的は、塗布部に保持したマスカラ液を迅速に加熱して、マスカラ液が適温に加熱されるまでの待機時間を短縮することができる美容器具を提供することにある。
本発明の目的は、マスカラ液を迅速に加熱できるようにしながら、塗布体が破損あるいは塗布体に汚れが膠着した場合でも容易に交換あるいは洗浄を行なうことができる美容器具を提供することにある。
【課題を解決するための手段】
【０００８】
本発明の美容器具は、塗布体２と、塗布体２に着脱自在に連結される加熱体３とを備えている。塗布体２は、中心軸に沿って収納穴１１３が形成された筒状の塗布ロッド１１を備えている。塗布ロッド１１は、処理部１１１と、処理部１１１に連続するステム部１１２とで構成されて、処理部１１１の端部に化粧料を保持する塗布部１２を設けてある。加熱体３は、グリップ２０の一端に設けられる加熱ロッド２１と、加熱ロッド２１の端部に設けられる加熱部２２とを備え、加熱部２２の内部にヒーター２９を設けてある。加熱体３を塗布体２に連結して、加熱ロッド２１を収納穴１１３に収納した状態において、加熱ロッド２１の加熱部２２が塗布ロッド１１の処理部１１１の内部に位置していることを特徴とする。
【０００９】
塗布部１２を、処理部１１１の外面一側に形成する。加熱ロッド２１を、ステム部１２０と、ステム部１２０の端部に設けられる加熱部２２とで構成する。加熱体３を塗布体２に連結した状態において、処理部１１１の内面１１４と加熱部２２との隙間Ｇ１を、塗布ロッド１１のステム部１１２の内面１１４と加熱ロッド２１のステム部１２０との隙間Ｇ２より小さく設定する。
【００１０】
処理部１１１は、塗布部１２が形成してある塗布部側筒壁１１６と、塗布部側筒壁１１６に対向する対向筒壁１１７とを備えている。塗布部側筒壁１１６の厚み寸法ｔ１を、対向筒壁１１７の厚み寸法ｔ２より小さく設定する。
【００１１】
加熱ロッド２１のステム部１２０の外径寸法Ｄ２を、加熱部２２の外径寸法Ｄ１より小さく設定する。加熱ロッド２１のステム部１２０の外面と、塗布ロッド１１のステム部１１２の内面１１４との間に断熱空間Ｓ１を形成する。
【００１２】
加熱ロッド２１のステム部１２０の周面に、断熱空間Ｓ１を複数個に区画する１個以上の区画壁１２１を周回状に設ける。
【００１３】
塗布ロッド１１の少なくとも塗布部側筒壁１１６および対向筒壁１１７の内面１１４を、基端側から端部側へ向かって先すぼまり状に形成する。
【００１４】
ヒーター２９を、塗布ロッド１１の中心軸線Ｏに対して塗布部側筒壁１１６へ偏寄する状態で配置する。
【００１５】
対向筒壁１１７と対向する加熱部２２に段落ち部１２２を形成して、対向筒壁１１７と加熱部２２との間に断熱空間Ｓ２を設ける。
【００１６】
加熱ロッド２１のステム部１２０を発泡性樹脂で形成する。
【００１７】
マスカラ液を収容する容器１と、容器１に着脱自在に装着される塗布体２と、塗布体２に着脱自在に連結される加熱体３とを備える。容器１と塗布体２と加熱体３を連結した状態において、加熱体３の加熱ロッド２１を、容器１内に差込まれた塗布ロッド１１の内部に収納する。
【発明の効果】
【００１８】
本発明に係る美容器具においては、加熱体３を塗布体２に連結して加熱ロッド２１を収納穴１１３に収納した状態において、加熱ロッド２１の加熱部２２を塗布ロッド１１の処理部１１１の内部に位置させるようにした。このように、加熱部２２を処理部１１１の内部に位置させると、加熱部２２で生成した熱を処理部１１１へ効率よく伝導して、塗布部１２を迅速に加熱することができる。従って、塗布部１２に保持した化粧料を素早く加熱して、塗布に好適な温度に加熱されるまでの待機時間を短縮することができる。また、塗布体２と加熱体３とは連結構造で着脱自在に連結したので、塗布体２を加熱体３から簡単に分離することができる。従って、塗布体２が破損した場合には容易に交換することができ、塗布体２に汚れが膠着した場合には湯水等で簡単に洗浄して再使用することができる。
【００１９】
加熱体３を塗布体２に連結した状態において、処理部１１１の内面１１４と加熱部２２との隙間Ｇ１を、塗布ロッド１１および加熱ロッド２１の各ステム部１１２・１２０の隙間Ｇ２より小さく設定すると、各ステム部１１２・１２０の間の熱伝導を抑制できる。詳しくは、各ステム部１１２・１２０の間の空気層による断熱効果を利用して、加熱ロッド２１のステム部１２０から塗布ロッド１１のステム部１１２への熱の伝導を、加熱部２２から処理部１１１への熱の伝導よりも小さくすることができる。従って、加熱部２２から処理部１１１への熱の伝導効率をよくして、塗布部１２を迅速に加熱することができる。
【００２０】
塗布部側筒壁１１６の厚み寸法ｔ１を、対向筒壁１１７の厚み寸法ｔ２より小さく設定すると、筒壁の厚みが小さい分だけ、加熱部２２で生成した熱を塗布部側筒壁１１６の表面まですばやく伝導することができる。従って、塗布部１２を迅速に加熱することができる。また、厚み寸法が小さい塗布部側筒壁１１６の体積は、対向筒壁１１７の体積よりも小さくなるので、塗布部側筒壁１１６の熱容量を小さくすることができ、これにより、塗布部１２をさらに迅速に加熱することができる。
【００２１】
加熱ロッド２１のステム部１２０の外径寸法Ｄ２を、加熱部２２の外径寸法Ｄ１より小さく設定すると、加熱部２２からステム部１２０を伝わってグリップ２０側に伝導しようとする熱量を抑制することができる。従って、加熱部２２の熱を効率よく処理部１１１に伝導することができ、塗布部１２をさらに迅速に加熱することができる。また、両ステム部１１２・１２０の間に断熱空間Ｓ１を形成すると、空気層が断熱材となって加熱ロッド２１のステム部１２０から塗布ロッド１１のステム部１１２への熱の伝導が抑制されるので、加熱部２２で生成した熱の殆どを塗布部１２へ伝導して、ヒーター２９の消費電力を抑えることができる。
【００２２】
加熱ロッド２１のステム部１２０に１個以上の区画壁１２１を設けて、断熱空間Ｓ１を上下方向へ複数の区画に区分すると、断熱空間Ｓ１内の上下方向の空気の対流を区画壁１２１で分断できる。従って、断熱空間Ｓ１内の空気の対流作用で、加熱部２２側の熱が塗布ロッド１１のステム部１１２およびグリップ２０へ伝導されるのを阻止して、加熱部２２による塗布部１２の加熱を効率よく行なうことができる。
【００２３】
塗布ロッド１１の少なくとも塗布部側筒壁１１６および対向筒壁１１７の内面１１４を、基端側から端部側へ向かって先すぼまり状に形成すると、塗布ロッド１１の中心軸に対して直交する面の断面積を端部に行くに従って大きくすることができる。これにより、単位長さ当たりの体積をステム部１１２より処理部１１１の方が大きくなるようにして、加熱された処理部１１１の蓄熱量を大きくして冷めにくくすることができる。また、少なくとも塗布部側筒壁１１６と対向筒壁１１７とを、基端側から端部側へ向かって先すぼまり状に形成することにより、加熱体３を塗布体２に連結した状態において、処理部１１１の内面１１４と加熱部２２との隙間Ｇ１を、塗布ロッド１１および加熱ロッド２１の各ステム部１１２・１２０の隙間Ｇ２より小さくすることができる。これにより、各ステム部１１２・１２０の間の空気層による断熱効果を利用して、加熱ロッド２１のステム部１２０から塗布ロッド１１のステム部１１２への熱の伝導を、加熱部２２から処理部１１１への熱の伝導よりも小さくすることができる。従って、加熱部２２から処理部１１１への熱の伝導効率をよくして、塗布部１２を迅速に加熱することができる。
【００２４】
ヒーター２９を、塗布ロッド１１の中心軸線Ｏに対して塗布部側筒壁１１６へ偏寄する状態で配置すると、塗布部側筒壁１１６の内面１１４にヒーター２９を近接させることができる。従って、塗布部側筒壁１１６に効率よく熱を伝導することができ、塗布部１２を迅速に加熱することができる。
【００２５】
対向筒壁１１７と対向する加熱部２２に段落ち部１２２を形成して、対向筒壁１１７と加熱部２２との間に断熱空間Ｓ２を設けると、断熱空間Ｓ２により加熱部２２から断熱空間Ｓ２を間にして対抗する対向筒壁１１７への熱の伝導を効果的に抑制することができ、塗布部１２を迅速に加熱することができる。
【００２６】
加熱ロッド２１のステム部１２０を発泡性樹脂で形成すると、加熱ロッド２１のステム部１２０を介して加熱部２２の熱がグリップ２０に伝導するのを効果的に抑制することができる。従って、加熱部２２の熱を処理部１１１に効率よく伝導することができ、塗布部１２を迅速に加熱することができる。また、発泡性樹脂が断熱材となって加熱ロッド２１のステム部１２０から塗布ロッド１１のステム部１１２への熱の伝導が抑制されるので、加熱部２２で生成した熱の殆どを塗布部１２へ伝導して、ヒーター２９の消費電力を抑えることができる利点もある。
【００２７】
マスカラ液を収容する容器１と、容器１に着脱自在に装着される塗布体２と、塗布体２に着脱自在に連結される加熱体３とを備え、容器１と塗布体２と加熱体３を連結した状態において、加熱体３の加熱ロッド２１を、容器１内に差込まれた塗布ロッド１１の内部に収納した。これによれば、容器１から塗布体２を加熱体３ごと取り外すだけで、塗布部１２にマスカラ液が保持された状態となり、マスカラ液を適温に加熱した状態でまつ毛に塗布することができる。また、加熱体３を塗布体２から取り外した状態では、その加熱部２２で塗布体２とは異なる美容処理を行なうことができる。
【図面の簡単な説明】
【００２８】
【図１】本発明に係る美容器具の使用状態における塗布体の縦断側面図である。
【図２】塗布体を容器から分離した状態の一部破断側面図である。
【図３】本発明に係る美容器具の分解断面図である。
【図４】図８におけるＡ−Ａ線断面図である。
【図５】整形体を塗布体から分離した状態の縦断正面図である。
【図６】加熱整形部の縦断側面図である。
【図７】図１におけるＢ−Ｂ線断面図である。
【図８】塗布体と整形体の連結構造を示す縦断側面図である。
【図９】スイッチ用の節度構造を示す縦断正面図である。
【図１０】スイッチノブと制御回路の関係を示す説明図である。
【図１１】ヒーターの温度制御形態を示すブロック図である。
【図１２】コンパレータの動作原理を示すタイミングチャートである。
【図１３】スイッチノブを第１オン位置へ切換えた状態を示す縦断側面図である。
【図１４】スイッチノブを第２オン位置へ切換えた状態を示す縦断側面図である。
【図１５】整形体を塗布体から分離した状態の一部破断側面図である。
【図１６】図８におけるＣ−Ｃ線断面図である。
【図１７】本発明に係る美容器具の別実施例を示す一部破断側面図である。
【図１８】本発明に係る美容器具のさらに別実施例を示す一部破断側面図である。
【図１９】本発明に係る美容器具のさらに別実施例を示す一部破断側面図である。
【発明を実施するための形態】
【００２９】
（実施例）  図１ないし図１６に本発明をマスカラ塗布具（美容器具）に適用した実施例を示す。本発明における前後、左右、上下とは、図１および図２に示す交差矢印と、各矢印の近傍に表記した前後、左右、上下の表示に従う。
【００３０】
図２においてマスカラ塗布具は、マスカラ液を収容する容器１と、容器１に対して着脱される塗布体２と、塗布体２に対して着脱される整形体（加熱体）３などで構成する。容器１と塗布体２は、第１連結構造（連結構造）で着脱自在に連結されており、塗布体２と整形体３は、第２連結構造（連結構造）で着脱自在に連結されている。容器１と塗布体２と整形体３の３者を第１、第２の両連結構造で連結した状態では、マスカラ塗布具を１個の美容器具として取扱うことができる。
【００３１】
容器１は円筒状に形成してあり、その上端に塗布体２の出入口４が開口してある。出入口４の周面には、第１連結構造を構成するねじ軸５が形成してあり、出入口４の内面には余分に付着したマスカラ液をしごき落とすワイパー６が設けてある。ワイパー６は、ゴムまたはプラスチック材で形成した筒体からなり、その底壁にしごき開口７が形成してある。
【００３２】
図１において塗布体２は、容器１の出入口４に着脱される円筒状のキャップ１０と、中心軸に沿って収納穴１１３が形成された筒状の塗布ロッド１１とを備えている。塗布ロッド１１は有底筒状に形成されて、その下端部（端部）に設けられる処理部１１１と、処理部１１１の上側に連続するステム部１１２とで構成してあり、処理部１１１にマスカラ液を保持する塗布部１２が設けてある。処理部１１１は、塗布部１２が形成される塗布部側筒壁１１６と、塗布部側筒壁１１６に対向する対向筒壁１１７とを備えている。塗布ロッド１１の収納穴１１３の内面１１４は、塗布部側筒壁１１６と対向筒壁１１７とを、上端部側（基端側）から下端部側（端部側）へ向かって先すぼまり状に形成してある。図７において、符号Ｏは、丸筒状に形成された塗布ロッド１１の中心軸線を示す。第１連結構造で容器１と塗布体２とを連結した状態において、塗布ロッド１１を容器１の内部に差込むことができる。
【００３３】
上端部側から下端部側へ向かって先すぼまり状に形成した収納穴１１３の内面１１４の傾斜角度は全周で同一ではなく、塗布部側筒壁１１６の内面１１４の傾斜角度θ１が最小で、対向筒壁１１７の内面１１４の傾斜角度θ２が最大になるように形成してある。処理部１１１の左右の筒壁部分は、両筒壁１１６・１１７の傾斜角度θ１・θ２を緩やかに接続するように、塗布部側筒壁１１６から対向筒壁１１７に行くに従って、徐々に傾斜角度が大きくなるように形成してある。収納穴１１３の中心軸線は、傾斜角度θ１・θ２が違う角度であるため、塗布ロッド１１の中心軸線Ｏに対して下端側が後傾している状態となる。
【００３４】
上記のような構成によれば、塗布ロッド１１の中心軸線Ｏに対して直交する面の断面積は、塗布ロッド１１の下端部へ行くに従って大きくなる。従って、単位長さ当たりの体積をステム部１１２より処理部１１１の方が大きくなるようにして、加熱整形部（加熱部）２２で加熱された処理部１１１を冷めにくくし、ヒーター２９の消費電力を抑えている。本実施例では、収納穴１１３の内面１１４後側の傾斜角度θ１は０．１度であり、前側の傾斜角度θ２は１．０度に設定した。角度は、０度以上３．０度以下の範囲で設定することが好ましい。これは、０度未満の逆テーパー状であると、有底筒状の整形ロッド２１を金型で成形するのが困難となり、３．０度を超えると、上下の筒壁の肉厚寸法の差が大きくなり、整形時にヒケ等の成形不良が発生するおそれがあるためである。傾斜角度θ１・θ２は塗布ロッド１１の長さあるいは外径寸法により、適宜変更することができる。
【００３５】
図１に示すように、塗布部１２は塗布ロッド１１の処理部１１１の塗布部側筒壁１１６に形成した櫛歯（塗布要素）１８の一群で構成されており、隣接する櫛歯１８の間にマスカラ液を保持することができる。図７に示すように、櫛歯１８は先端が丸められた舌片状に形成してある。櫛歯１８が形成される塗布部側筒壁１１６の厚み寸法ｔ１は、対向筒壁１１７の厚み寸法ｔ２より小さく形成されている。従って、筒壁の厚みが小さい分だけ、加熱部２２で生成した熱を塗布部側筒壁１１６の表面まですばやく伝導することができ、塗布部１２を迅速に加熱することができる。また、厚み寸法が小さい塗布部側筒壁１１６の体積は、対向筒壁１１７の体積よりも小さくなるので、塗布部側筒壁１１６の熱容量を小さくすることができ、これにより、塗布部１２をさらに迅速に加熱することができる。
【００３６】
キャップ１０には、第１連結構造を構成する連結部と、第２連結構造を構成する連結部とが設けてある。前者連結部は、キャップ１０の殆どを占めるねじキャップ５２で構成されており、その内面に、先のねじ軸５に対応するねじ穴１６が形成してある。キャップ１０の外面には上下方向に長い位置決めリブ５３が形成してある。上記のように第１連結構造は、ねじ軸５と、ねじ穴１６を備えたねじキャップ５２とでねじ構造として構成してある。
【００３７】
第２連結構造を構成する連結部は、ねじキャップ５２の上部に連続する連結ボス５４の周面に周回状に形成される連結溝５５からなる。連結ボス５４の外直径は、ねじキャップ５２の外直径より小さく設定してあり、連結ボス５４の基端とねじキャップ５２との間の肩壁が、後述するストッパー９３の規制部５６として機能する。連結ボス５４の内面に、先の塗布ロッド１１の上端に設けたロッドボス５７を圧嵌係合することにより、塗布ロッド１１がキャップ１０に対して分離不能に一体化してある。
【００３８】
整形体３は、グリップを兼ねる円筒状の整形グリップ（グリップ）２０と、整形グリップ２０の下部から下向きに突出する中空の整形ロッド（加熱ロッド）２１と、整形ロッド２１の下端（端部）に設けられる加熱整形部（加熱部）２２と、加熱整形部２２の内部に配置されるヒーター２９などで構成する。図３に示すように、整形グリップ２０の上半後面には樋体状の電池蓋２４が着脱可能に設けてあり、その下側に樋体状の基板カバー６０が配置してある。整形グリップ２０の内部には、電池３３、制御基板６１、スイッチ構造などが収容してある。また、整形グリップ２０の下端部分の前面には、ヒーター２９への通電状態をオン・オフするスイッチノブ３４が設けてあり、後面には先の位置決めリブ５３を受入れる位置決め溝５８が形成してある。スイッチノブ３４の下端は、整形グリップ２０とキャップ１０との接当部に臨んでいる。
【００３９】
図１において整形グリップ２０の内部で、制御基板６１を収容する区画の下端には、リング状の取付けボス６３が整形グリップ２０と一体に形成してあり、この取付けボス６３に整形ロッド２１の上部が圧嵌装着してある。また、キャップ１０の連結ボス５４を着脱するための連結リング６４が取付けボス６３に固定してある。図４に示すように、連結リング６４の上面および下面の左右の対向位置には、それぞれ一対の係合爪６７と、弾性連結腕６８が突設してある。さらに、連結リング６４の周面の前後の対向位置には、後述するストッパー９３をスライド案内するガイド凹部６９と、位置決め凹部７０とが形成してある。
【００４０】
図５に示すように、一対の係合爪６７を、先の取付けボス６３に設けた係合溝７１に下面側から係合することにより、連結リング６４が取付けボス６３に分離不能に固定される。このとき、位置決め凹部７０が整形グリップ２０の内面に設けた位置決め突起７２で位置決めされる（図４参照）。弾性連結腕６８の下端内面には、断面が半円状の連結爪７３が設けてあり、この連結爪７３が連結ボス５４の連結溝５５と係脱することにより、塗布体２と整形体３を一体化し、あるいは整形体３を塗布体２から分離することができる。このように第２連結構造は、連結ボス５４に設けた連結溝５５と、同溝５５に係脱する連結爪７３を備えた弾性連結腕６８とで圧嵌係合構造として構成してある。
【００４１】
上記のように第１連結構造は、ねじ軸５と、ねじ穴１６を備えたねじキャップ５２とでねじ構造として構成し、第２連結構造は、連結ボス５４に設けた連結溝５５と、同溝１７に係脱する連結爪７３を備えた弾性連結腕６８とで圧嵌係合構造として構成した。これによれば、ねじ構造を解除して容器１を取り外し、さらに整形体３から塗布体２を引き抜くだけで、塗布体２を分離することができる。従って、塗布体２が破損した場合には容易に交換することができ、塗布体２に汚れが膠着した場合には湯水等で簡単に洗浄して再使用することができる。
【００４２】
図６に示すように、整形ロッド２１は、前ロッド体２１ａと後ロッド体２１ｂとを蓋合わせ状に接合して形成してある。整形ロッド２１は、その下端部（端部）に形成される加熱整形部（加熱部）２２と、加熱整形部２２の上側に連続するステム部１２０とで構成してある。加熱整形部２２の後ロッド体２１ｂには、上下方向へ一定間隔おきに配置した多数個の櫛歯２８を形成してあり、その内部にヒーター２９とサーミスター７５と、感温変色素子７６とが配置してある。櫛歯２８の間は加熱窓７７として開口されており、各加熱窓７７においてヒーター２９の外表面を露出させてカール面３２としてある。図７に示すように、後述するヒーター２９の発熱素子８０は、加熱整形部２２の前後方向中心より、前側に位置する状態で配置してある。櫛歯２８は、その突出寸法に比べて前後寸法が充分に大きな花弁状に形成してある。
【００４３】
図６においてヒーター２９は、内外一対の絶縁シート７８・７９と、両絶縁シート７８・７９の間に挟み保持される発熱素子８０とで面状ヒーターとして構成してあり、これら３者は熱硬化性の接着材で一体に固定してある。ヒーター２９を前後のロッド体２１ａ・２１ｂで確りと固定保持するために、前ロッド体２１ａの内面の多数個所にヒーター支持突起８１を設け、同突起８１と櫛歯２８とでヒーター２９の内外面を挟持している。
【００４４】
サーミスター７５はヒーター２９の上下方向の中央部に配置されており、前ロッド体２１ａの内面とサーミスター７５との間に配置した耐熱性のスポンジ（弾性体）８２で移動付勢されて、ヒーター２９の内面に密着している。感温変色素子７６の変色状態を視認するために、前ロッド体２１ａの下端寄りに視認窓８３が開口してある。ユーザーは、ヒーター２９を通電状態にしたのち、視認窓８３を介して感温変色素子７６の呈色状態を確認することにより、ヒーター２９の発熱状態が適温状態になったことを知ることができる。図４に示すように、後ロッド体２１ｂの内部には、発熱素子８０用のリード線８４と、サーミスター７５用のリード線８５を収容するリード線溝８６が区分壁を介して形成してある。
【００４５】
図１に示すように、整形ロッド２１を収納穴１１３に収納して整形体３を塗布体２に装着した状態においては、加熱整形部２２は塗布ロッド１１の処理部１１１の内部に配置されている。収納穴１１３の中心軸線は、塗布ロッド１１の中心軸線Ｏに対して下端側が後傾しているため、収納穴１１３に整形ロッド２１を収納すると、整形ロッド２１の下端部前側が対向筒壁１１７の内面１１４と当接して、整形ロッド２１は後側に撓んだ状態で収納される（図１参照）。この状態では、整形ロッド２１の下端側が後側に偏寄しているので、塗布部側筒壁１１６と、加熱整形部２２との隙間Ｇ１は、加熱ロッド２１のステム部１２０と塗布ロッド１１のステム部１２０の内面１１４の隙間Ｇ２より小さくすることができる。
【００４６】
上記の構成によれば、加熱整形部２２はその周囲を処理部１１１に覆われた状態になり、加熱部２２で生成した熱を処理部１１１へ効率よく伝導して、塗布部１２を迅速に加熱することができる。従って、塗布部１２に保持した化粧料を素早く加熱して、塗布に好適な温度に加熱することができ、待機時間を短縮することができる。また、隙間Ｇ１を隙間Ｇ２より小さくすると、各ステム部１１２・１２０の間の空気層による断熱効果を利用して、加熱ロッド２１のステム部１２０から塗布ロッド１１のステム部１１２への熱の伝導を、加熱部２２から処理部１１１への熱の伝導よりも小さくすることができる。従って、加熱部２２から処理部１１１への熱の伝導効率をよくして、塗布部１２を迅速に加熱することができる。
【００４７】
加えて、整形ロッド２１を後側に撓んだ状態で収納し、整形ロッド２１の下端側が後側に偏寄していると、ヒーター２９を、塗布ロッド１１の中心軸線Ｏに対して塗布部側筒壁１１６へ偏寄する状態で配置することができる。従って、塗布部側筒壁１１６の内面１１４にヒーター２９を近接させて、塗布部側筒壁１１６に効率よく熱を伝導することができ、塗布部１２を迅速に加熱することができる。
【００４８】
図３および図８においてスイッチ構造は、スイッチノブ３４でスライド操作される端子板８９と、端子板８９に固定される一対の山形の可動端子９０と、制御基板６１に設けた固定端子（図示していない）と、節度構造などで構成する。スイッチノブ３４は、整形グリップ２０の前面のノブ座９２で上下スライド自在に案内支持されており、その内面に棒状のストッパー９３と、一対の操作爪９４とが設けてある。ストッパー９３および操作爪９４のスライドを許すために、ノブ座９２にはスライド開口９５が形成してある。ノブ座９２の内面壁はストッパー９３をスライド案内するガイド壁を兼ねている。
【００４９】
スイッチノブ３４の下端には、不使用状態においてスイッチノブ３４がオン状態に切換わるのを防ぐ規制片９６が内向きに張出してある。ここでの不使用状態とは、整形体３が装着された塗布体２のねじ穴１６を容器１のねじ軸５に、最後までねじ込んだ状態を意味しており、この状態の規制片９６は容器１の肩壁で受止められている。また、スイッチノブ３４がオン状態に切換わっていた場合には、塗布体２をねじ軸５にねじ込むのに伴って規制片９６が容器１の肩壁で押上げられるため、スイッチノブ３４は強制的にオフ状態に切換えられる。
【００５０】
端子板８９のスイッチノブ３４との対向面には、操作爪９４と係合する四角形状の係合ボス９８が設けてあり、一対の操作爪９４が係合ボス９８と嵌合することにより、端子板８９がスイッチノブ３４で支持されている。図９において節度構造は、端子板８９の長辺部と一体に形成した弾性アーム９９と、弾性アーム９９の中央外面に設けた節度突起１００と、３個の節度凹部１０１を備えた一対の固定壁１０２などで構成する。固定壁１０２は整形グリップ２０の周囲壁の内面に一体に成形してある。
【００５１】
整形体３を使用してまつ毛を整形する場合の加熱整形部２２の温度状態と、塗布体２を使用してマスカラ液をまつ毛に塗布する場合の塗布部１２の温度状態とをそれぞれ好適化するために、スイッチ構造をスイッチノブ３４で３段階に切換え操作している。具体的には、スイッチノブ３４がノブ座９２の上端に位置している図８の状態がオフ状態であり、オフ状態からスイッチノブ３４が１段階押下げスライドされた図１３の状態が第１のオン状態である。また、第１のオン状態からスイッチノブ３４がさらに１段階押下げスライドされた図１４の状態が第２のオン状態である。
【００５２】
第１のオン状態においては、図１１に示すコンパレータ１０５からスイッチング素子にヒーター駆動信号が出力され、電池３３から発熱素子８０に駆動電流が供給されてヒーター２９の温度が上昇する。これに伴い、サーミスター７５の温度が上昇して抵抗値が減少するため、サーミスター７５にかかる電圧が低くなり、サーミスター７５と直列に接続した制御抵抗（図示していない）にかかる電圧が上昇する。そして、制御抵抗にかかる電圧が、図１５に示す基準電圧（低温側の基準電圧）を越えた時点で、コンパレータ１０５の出力が停止され、発熱素子８０に対する駆動電流の供給が停止されて、ヒーター２９の温度が低下する。また、ヒーター２９の温度が低下すると、サーミスター７５の温度が低下して抵抗値が増加するので、サーミスター７５にかかる電圧が高くなり、先の制御抵抗にかかる電圧が低くなる。そして、制御抵抗にかかる電圧が基準電圧（低温側の基準電圧）より低下した時点で、コンパレータ１０５からスイッチング素子にヒーター駆動信号が出力され、発熱素子８０に対する駆動電流の供給が再開される。以後、これを繰り返して、ヒーター２９の発熱状態を低温状態（４０℃）に維持する。なお、ヒーター２９の発熱状態はマスカラ液の組成や粘度特性等に応じて設定すればよく、低温状態は４０℃以外であってもよい。
【００５３】
第２のオン状態においては、基準電圧が高温側の基準電圧に切換わって、これをもとに上記と同様な制御を行って、ヒーター２９の発熱状態を高温状態（７０℃）に維持する。なお、低温側基準電圧および高温側基準電圧を供給する電源部と、コンパレータ１０５などは制御基板６１に設けてある。
【００５４】
不使用状態のマスカラ塗布具は、図１および図２に示すようにキャップ１０に設けたねじ穴１６がねじ軸５にねじ込まれて、塗布体２が容器１と一体化してあり、この状態の塗布ロッド１１および塗布部１２は、容器１に収容されたマスカラ液に浸漬している。また、整形体３の整形ロッド２１が塗布体２の塗布ロッド１１の内部に収容されて、塗布体２の連結ボス５４に設けた連結溝５５が、連結リング６４の弾性連結腕６８で係合捕捉されている。不使用状態においては、スイッチノブ３４の規制片９６が容器１の肩壁で受止められて、下方への移動が規制された状態になっている。そのため、スイッチノブ３４が不用意に、第１のオン状態、あるいは第２のオン状態に切換わるのを確実に防止できる。また、先に説明したように、スイッチノブ３４がオン状態に切換わっていた場合には、塗布体２をねじ軸５にねじ込むのに伴って規制片９６が容器１の肩壁で押上げられるため、スイッチノブ３４は強制的に図８に示すオフ状態に切換えられる。
【００５５】
マスカラ塗布具を使用する場合には、整形体３と塗布体２を択一的に使用することにより、まつ毛を整形しカールする作業と、マスカラ液を塗布する作業を行なうことができる。まつ毛を整形しカールする場合には、図５に示すように、連結ボス５４の連結溝５５と弾性連結腕６８の係合を解除する向きに整形体３を塗布体２から引抜き、図１５に示すように加熱整形部２２を塗布ロッド１１から露出させる。その状態でスイッチノブ３４をスライド操作して第２のオン状態に切換え、ヒーター２９を発熱させる。しばらく待って、ヒーター２９の発熱状態が適温（７０℃）に加熱されたことを感温変色素子７６の呈色状態の変化で確認する。スイッチノブ３４を第２のオン状態に切換えた状態では、キャップ１０が塗布ロッド１１と共に容器１側に装着されているので、ストッパー９３がキャップ１０の規制部５６で受止められることはない。この状態の規制片９６は、図１４に示すように整形グリップ２０の下面開口より下方に位置している。
【００５６】
次に、櫛歯２８が上向きになる状態で整形ロッド２１を水平に支持し、まつ毛の湾曲中央部を櫛歯２８で梳き分けながら、ヒーター２９の外表面にまつ毛を接触させる。この状態で、まつ毛を上向きにすくい上げ、さらに加熱窓７７を眉毛の側へ回転させてまつ毛をカールさせる。さらに、カール部分をヒーター２９で加熱しながら、加熱整形部２２の全体を上向きに押し上げることにより、まつ毛を毛先部分まで確実にカールすることができる。同様にして、目頭側および目尻側のまつ毛を加熱整形部２２でカールすることができる。なお、まつ毛をカールさせるときは、捕捉したまつ毛がカール面３２に沿って横移動するのを櫛歯２８で規制でき、従って、隣接する櫛歯２８で捕捉したまつ毛の一群を適正にカールできる。
【００５７】
マスカラ液を塗布する場合には、整形体３を塗布体２に連結して加熱整形部２２を塗布ロッド１１内に収容し、再び整形体３を塗布体２と一体化する。この状態では図１６に示すように、ねじキャップ５２に設けた位置決めリブ５３が、整形グリップ２０に設けた位置決め溝５８と係合している。そのため、整形グリップ２０を緩み方向へ回動操作すると、ねじキャップ５２とねじ軸５とのねじ込み状態が解除されて、図２に示すように塗布体２を容器１から取外すことができる。このときのキャップ１０は、連結リング６４の弾性連結腕６８で係合捕捉されている。
【００５８】
塗布体２を容器１から取外した状態で、スイッチノブ３４をオン操作すると、スイッチ構造が第１のオン状態に切換わってヒーター２９を発熱させ、塗布部１２を適温（４０℃）に保持できる。これにより、塗布部１２に付着したマスカラ液の温度を上げて、マスカラ液を均一に拡散し流動しやすい状態に調整して、櫛歯１８の間に保持されたマスカラ液をまつ毛に付着させることができる。マスカラ液が不足する場合には、塗布部１２を容器１内に数回出し入れしてマスカラ液を付着させ、塗布部１２の周囲に付着した余分なマスカラ液をワイパー６でしごき落として、再度マスカラ液をまつ毛に付着させる。最後にマスカラコームを使用して、まつ毛を数回梳き流すことにより、まつ毛のカール形状を整えることができる。容器１内に出し入れする際の塗布部１２は、容器１に対して上下に出し入れするだけであるので、ねじ軸５とねじ穴１６の端部同士が接当した位置より下方に差込まれることはなく、従って、スイッチノブ３４がオフ位置へ戻されることはない。
【００５９】
なお、環境温度が低い場合には、整形グリップ２０を緩み方向へ数回回動して、ねじキャップ５２と容器１の肩部との間に、規制片９６が下降移動できる隙間を確保したのち、スイッチノブ３４をオン操作してヒーター２９を発熱させ塗布部１２を加熱する。この場合には塗布部１２がヒーター２９で４０℃に加熱されるので、容器１内のマスカラ液を加熱して粘度を下げ流動性を与えることができる。
【００６０】
上記のように、スイッチノブ３４を第１のオン状態に切換えた状態では、図１３に示すように、ストッパー９３の先端がねじキャップ５２の肩部分に設けた規制部５６で受止められる。そのため、スイッチノブ３４が、第１のオン状態を越えて第２のオン状態に切換えられることはなく、塗布部１２の温度を４０℃に保持できる。
【００６１】
以上のように、整形体３を塗布体２に装着した状態におけるヒーター２９の発熱温度を低温状態に設定して、ヒーター２９の出力を抑制すると、塗布部１２の温度が不必要に高くなるのを防止できる。また、塗布部１２を容器１内のマスカラ液に浸漬した状態では、溶剤などの揮発成分がいたずらに蒸散してマスカラ液が変質し劣化するのを防止しながら、その粘度を低下できる。従って、適度の流動性を備えたマスカラ液を塗布部１２に付着させて、まつ毛に対するマスカラ液の塗布を好適に行なうことができる。また、整形体３を塗布体２から分離して、まつ毛の整形を行う状態におけるヒーター２９の発熱温度を高温状態に設定すると、加熱整形部２２の温度を高くして、まつ毛を効果的に加熱しながら整形して、的確にカールすることができる。
【００６２】
なお、整形体３が塗布体２に装着してあるときのヒーター２９の発熱温度が、整形体３を塗布体２から分離したときのヒーター２９の発熱温度と同じ高温状態に設定してある場合には、塗布部１２を容器１内に差込んでマスカラ液を加熱する際に、加熱熱量が過多となってマスカラ液が変質し劣化しやすい。このような状況を避けるには、例えば、塗布ロッド１１の内部空間を大きくし、あるいは塗布ロッド１１の肉厚を大きくすることで対応できるが、そうすると塗布ロッド１１が太くなり、あるいは直径が大きくなり、使い勝手が悪くなる。こうした、不具合を解消するために、整形体３を塗布体２に装着した状態におけるヒーター２９の発熱温度を低温状態に設定して、ヒーター２９の出力を抑制できようにしている。
【００６３】
上記の実施例においては、収納穴１１３に整形ロッド２１を撓ませた状態で収納する必要はなく、収納穴１１３の内面に接触しない状態で収納することができる。この場合には、ヒーター２９を加熱整形部２２の後面近傍に配置して、塗布部側筒壁１１６に近接させることで、上記寸法関係を満足するように構成することができる。塗布ロッド１１の中心軸線Ｏに直交する断面形状は、楕円あるいは多角形状に形成してもよい。容器１と塗布体２と整形体３の３者を連結して、マスカラ塗布具を１個の美容器具として取扱う必要はない。例えば、常態では容器１に換えて保護キャップを連結して塗布ロッド１１を保護し、使用時には別途マスカラ液が収容された容器１に塗布ロッド１１を差し込んでまゆ毛にマスカラ液を塗布することができる。
【００６４】
図１７に加熱ロッド２１の別実施例を示す。そこでは、櫛歯２８を省略して、加熱ロッド２１の下端部にヒーター２９を密封して加熱ヘッド（加熱部）２２とした。ステム部１２０の外径寸法Ｄ２は、加熱ヘッド２２の外径寸法Ｄ１よりも小さく形成してあり、塗布ロッド１１の収納穴１１３の内面１１４と加熱ロッド２１のステム部１２０外面との間に断熱空間Ｓ１を形成してある。加熱ロッド２１のステム部１２０の上下方向には、区画壁１２１が複数個形成してあり、区画壁１２１は、ステム部１２０の周囲から突出するリブ状に形成してある。断熱空間Ｓ１は区画壁１２１により複数の空間に区画してある。
【００６５】
このように、加熱ロッド２１のステム部１２０の外径寸法Ｄ２を加熱ヘッド２２の外径寸法Ｄ１より小さくすると、加熱部２２からステム部１２０を伝わってグリップ２０側に伝導しようとする熱量を抑制することができる。従って、加熱ヘッド２２の熱のほとんどを処理部１１１の筒壁に伝導することができ、塗布部１２を迅速に加熱することができる。また、断熱空間Ｓ１により両ステム部１１２・１２０間での熱の伝導が抑制され、ヒーター２９の消費電力を抑えることができる。さらに、断熱空間Ｓ１を区隔壁１２１で複数の空間に区画すると、空気の対流による熱の移動を抑制することができ、塗布ロッド１１のステム部１１２およびグリップ２０に空気を介して熱が伝導するのを抑制することができる。加熱ヘッド２２は、ヒーター２９を発熱させた状態で、加熱ヘッド２２の外表面にまつ毛を接触させて、まつ毛にマスカラ液を塗布する前段のまつ毛のカール作業を行なうことができる。他は先の実施例と同じであるので、同じ部材に同じ符号を付してその説明を省略する。以下の実施例においても同じとする。
【００６６】
図１８に加熱ロッド２１の別実施例を示す。そこでは、櫛歯２８を省略して、加熱ロッド２１の下端部にヒーター２９を密封して加熱ヘッド（加熱部）２２とした。加熱ロッド２１の前ロッド体２１ａに段落ち部１２２を形成してを段付き状に形成し、加熱整形部２２の前面側と、対向筒壁１１７との間に断熱空間Ｓ２を設けた。このように、断熱空間Ｓ２を設けると、加熱整形部２２から対向筒壁１１７に熱が伝導することを効果的に抑制することができ、塗布部１２を迅速に加熱することができる。加熱ヘッド２２は、ヒーター２９を発熱させた状態で、加熱ヘッド２２の外表面にまつ毛を接触させて、まつ毛にマスカラ液を塗布する前段のまつ毛のカール作業を行なうことができる。
【００６７】
図１９に加熱ロッド２１の別実施例を示す。そこでは、櫛歯２８を省略して、加熱ロッド２１の下端部にヒーター２９を密封して加熱ヘッド（加熱部）２２とし、加熱ロッド２１のステム部１２０を発泡性樹脂で形成した。整形ロッド２１の前ロッド体２１ａおよび後ロッド体２１ｂはそれぞれ２色成形されたプラスチック成形品で形成してあり、ステム部１２０の部分を発泡性樹脂で形成してある。発泡性樹脂は、合成樹脂中に気泡を細かく分散させて多孔質状に形成した合成樹脂である。このように、加熱ロッド２１のステム部１２０を発泡性樹脂で形成すると、加熱ロッド２１のステム部１２０を介して加熱ヘッド２２の熱が整形グリップ（グリップ）２０に伝導するのを効果的に抑制することができる。従って、加熱ヘッド２２の熱を処理部１１１に効率よく伝導することができ、塗布部１２を迅速に加熱することができる。また、ヒーター２９の消費電力を抑えることができる利点もある。また、加熱ロッド２１は、塗布部側筒壁１１６に対向する加熱ヘッド２２以外を発泡性樹脂で形成して、塗布部側筒壁１１６以外への熱の伝導を抑制するように構成してもよい。
【符号の説明】
【００６８】
１  容器
２  塗布体
３  加熱体（整形体）
１１  塗布ロッド
１２  塗布部
２０  グリップ（整形グリップ）
２１  加熱ロッド（整形ロッド）
２２  加熱部（加熱整形部、加熱ヘッド）
１１１  処理部
１１２  ステム部
１１３  収納穴
１１４  内面
１１６  塗布部側筒壁
１１７  対向筒壁
１２０  ステム部
１２１  区画壁
１２２  段落ち部
【図１】
2014073244.tif 000003
【図２】
2014073244.tif 000004
【図３】
2014073244.tif 000005
【図４】
2014073244.tif 000006
【図５】
2014073244.tif 000007
【図６】
2014073244.tif 000008
【図７】
2014073244.tif 000009
【図８】
2014073244.tif 000010
【図９】
2014073244.tif 000011
【図１０】
2014073244.tif 000012
【図１１】
2014073244.tif 000013
【図１２】
2014073244.tif 000014
【図１３】
2014073244.tif 000015
【図１４】
2014073244.tif 000016
【図１５】
2014073244.tif 000017
【図１６】
2014073244.tif 000018
【図１７】
2014073244.tif 000019
【図１８】
2014073244.tif 000020
【図１９】
2014073244.tif 000021